(57)【要約】【課題】  使用する際には握りやすく、未使用時には邪魔にならないグリップを備えたカメラを得ることを課題とする。【解決手段】  カメラ本体１２に回転可能に取り付けられたグリップ１４は、カメラ本体１２と略面一となる位置と、カメラ本体１２より出っ張る位置とを取るようになっている。そこで、カメラ１０の未使用時にグリップ１４をカメラ本体１２と略面一とさせれば、収納する際にグリップ１４が邪魔にならない。また、カメラ１０の使用時にグリップ１４をカメラ本体１２より出っ張らせれば、グリップ１４が握りやすくなる。【選択図】    図２
2006308995.tif 000002
【特許請求の範囲】
【請求項１】
カメラ本体と、前記カメラ本体の側面に回転可能に取り付けられ、該カメラ本体と略面一となる位置と、該カメラ本体より出っ張る位置とを取るグリップと、を有することを特徴とするカメラ。
【請求項２】
前記グリップの回転動作と連動して、撮影モードを切り替える切替手段を有することを特徴とする請求項１に記載のカメラ。
【発明の詳細な説明】
【技術分野】
【０００１】
本発明はカメラに係り、特にグリップの位置が可変可能とされたカメラに関する。
【背景技術】
【０００２】
一般に、カメラにはグリップが設けられている。このグリップは、カメラ本体と一体的に設けられているので、カメラ本体から出っ張った状態となっている。このため、持ち運びの際にグリップが邪魔になるという問題がある。
【０００３】
そこで、カメラ本体に対してグリップを取り外し可能とし、カメラ使用時にはグリップをカメラ本体に対して出っ張った状態で取り付け、カメラ未使用時にはグリップをカメラ本体から出っ張らない状態で取り付けるものが提案されている（特許文献１参照）。
【０００４】
しかし、特許文献１の構成では、カメラの使用時と未使用時とにおいて、そのたびにグリップをカメラ本体から取り外したり取り付けたりする必要があるため、カメラ操作者にとっては面倒臭い作業が発生してしまう。
【特許文献１】特開２００３−３３０１００号公報
【発明の開示】
【発明が解決しようとする課題】
【０００５】
本発明は、使用する際には握りやすく、未使用時には邪魔にならないグリップを備えたカメラを提供することを課題とする。
【課題を解決するための手段】
【０００６】
請求項１に記載の発明では、カメラ本体と、前記カメラ本体の側面に回転可能に取り付けられ、該カメラ本体と略面一となる位置と、該カメラ本体より出っ張る位置とを取るグリップと、を有することを特徴としている。
【０００７】
請求項１に記載の発明によれば、カメラ本体に回転可能に取り付けられたグリップは、カメラ本体と略面一となる位置と、カメラ本体より出っ張る位置とを取るようになっている。
【０００８】
これにより、例えば、カメラの未使用時にはグリップをカメラ本体と略面一とさせれば、収納する際にグリップが邪魔にならない。また、カメラの使用時にはグリップをカメラ本体より出っ張らせれば、グリップが握りやすくなる。
【０００９】
請求項２に記載の発明では、前記グリップの回転動作と連動して、撮影モードを切り替える切替手段を有することを特徴としている。
【００１０】
請求項２に記載の発明によれば、切替手段によって、グリップの回転動作と連動して撮影モードが切り替わる。例えば、カメラの未使用時にグリップをカメラ本体と略面一とさせたとき、撮影モードが電源ＯＦＦモードとなるようにし、カメラの使用時にグリップをカメラ本体より出っ張らせたとき、撮影モードが電源ＯＮモードとなるようにする。これにより、カメラ本体と略面一となる位置と、カメラ本体から出っ張る位置との間でグリップを移動させるだけで、電源ＯＮモードと電源ＯＦＦモードの切り替えができる。
【発明の効果】
【００１１】
本発明は上記構成としたので、使用する際には握りやすく、未使用時には邪魔にならないグリップを備えたカメラを得ることができる。
【発明を実施するための最良の形態】
【００１２】
以下、図面を参照して、本発明の実施形態に係るカメラ１０について説明する。
【００１３】
図１に示すように、カメラ１０は、レンズユニット１６を備えたカメラ本体１２と、カメラ本体１２の横に、回転可能に取り付けられたグリップ１４から構成されている。
【００１４】
カメラ本体１２の内部にはレンズユニット１６が備えられており、このレンズユニット１６は、図２に示すように、カメラ本体１２の前面１２Ａに形成されたレンズ用窓１３から、カメラ本体１２の前面１２Ａの外側に突出可能とされている。
【００１５】
また、図３に示すように、カメラ本体１２の側面には、半円と直線からなる凹部１８が形成されている。この凹部１８には、グリップ１４が設けられている。グリップ１４の上面には、撮影シーンに適したシャッタースピードや絞り値、ストロボ発光の有り無し等が設定される撮影モードを選択するためのモードダイヤル２０が設けられている。モードダイヤル２０の近傍には、モードダイヤル２０のロック及びロック解除を行うロックボタン２６と、撮影用のシャッターボタン２４が設けられている。
【００１６】
また、グリップ１４は、断面形状が一方から他方へ向かって縮小する所謂卵型とされた略円柱状とされており、曲率が大きい側の壁部がカメラ本体１２に形成された凹部１８に嵌合されるようになっている。
【００１７】
グリップ１４の曲率が大きい側には、カメラ本体１２の上下方向に沿ってシャフト２２がグリップ１４と一体に設けられている。シャフト２２の略中央部は、リング状部材２８によって回転可能に支持されている。リング状部材２８には、軸に対して垂直方向（水平方向）に板状の突片３０が設けられており、この突片３０は、グリップ１４の側壁に形成された略矩形状の長孔２３から突出している。長孔２３は水平方向に突片３０よりも長い寸法で形成されており、突片３０は長孔２３に沿って水平方向に移動可能とされている。
【００１８】
また、長孔２３から突出させた突片３０は、カメラ本体１２の凹部１８に形成された図示しない孔に挿通され、カメラ本体１２に固定されている。これにより、グリップ１４がカメラ本体１２に取り付けられる構成となっている。このとき、グリップ１４はシャフト２２の軸を中心として回転するようになっている。
【００１９】
なお、本実施形態では、シャフト２２の軸がモードダイヤル２０の中心と一致するようにされている。これにより、グリップ１４の回転中心が操作者に分かりやすいようになっている。
【００２０】
図４（Ａ）に示すように、グリップ１４は、上面視において長手方向の寸法が長手方向と直交する方向（幅方向）の寸法よりも大きい構成とされている。また、幅方向の寸法は、カメラ本体１２を上面視したときの幅方向の寸法と略同一とされている。
【００２１】
これにより、グリップ１４の長手方向の向きがカメラ本体１２の長手方向の向きと平行となる位置にグリップ１４を回転させたとき、カメラ本体１２の前面１２Ａからグリップ１４が出っ張ることがなく、カメラ本体１２に対してグリップ１４が略面一となる。
【００２２】
また、図４（Ｂ）に示すように、グリップ１４の長手方向の向きがカメラ本体１２の長手方向の向きと直交する位置にグリップ１４を回転させたとき、グリップ１４の曲率が小さい側の壁部がカメラ本体１２の前面１２Ａから出っ張るようになっている。これにより、カメラ１０の操作者はカメラ本体１２の前面１２Ａから出っ張った部分を把持すればよく、握りやすくなる。
【００２３】
グリップ１４が図４（Ａ）の位置にあるときは、凹部１８のカメラ本体１２の後面から延設している部分１８Ａにグリップ１４の壁面が当接しており、グリップ１４はカメラ本体１２の後面側に回転しないようになっている。
【００２４】
また、グリップ１４が図４（Ｂ）の位置にあるときは、凹部１８のカメラ本体１２の前面と直交する壁面にグリップ１４の壁面が当接しており、グリップ１４はカメラ本体１２の前面側に回転しないようになっている。つまり、グリップ１４はカメラ本体１２に対して、第１位置と第２位置の間の略９０度の範囲で回転可能とされている。
【００２５】
図５に示すように、カメラ本体１２の凹部１８近傍にはレバースイッチ３２が設けられている。レバースイッチ３２は、カメラ１０の電源のＯＮ／ＯＦＦを行うための電源スイッチとしての機能を有し、レバー３４が図の上側にあるときには、カメラ１０の電源がＯＦＦにされ（電源ＯＦＦモード）、レバー３４が下側にあるときには、カメラ１０の電源がＯＮにされる（電源ＯＮモード）構成とされている。
【００２６】
一方、図３及び図５に示すように、グリップ１４内には、アクチュエータ３６が設けられている。アクチュエータ３６は、グリップ１４と同軸上に配置され、グリップ１４の回転と共にアクチュエータ３６も回転する構成となっている。
【００２７】
また、アクチュエータ３６に設けられた突出部３８は、グリップ１４の側壁に形成された開口部４０から突出している。これにより、グリップ１４がシャフト２２を中心として回転すると、突出部３８もシャフト２２を軸として回転する構成となっている。このとき、突出部３８はレバースイッチ３２のレバー３４に接触するように配置されており、図５（Ａ）に示すように、グリップ１４を第２位置に回転させると、突出部３８によってレバー３４が図の下側に向けて移動される。また、図５（Ｂ）に示すように、グリップ１４を第１位置に回転させると、突出部３８によってレバー３４が図の上側に向けて移動される。これにより、グリップ１４を回転させることで、レバースイッチ３２のＯＮ／ＯＦＦが切り替えられる構成となっている。
【００２８】
次に、本発明の実施形態の作用について説明する。
【００２９】
カメラ本体１２に回転可能に取り付けられたグリップ１４は、カメラ本体１２と略面一となる位置と、カメラ本体１２より出っ張る位置とを取るようになっている。そこで、カメラ１０の未使用時にグリップ１４をカメラ本体１２と略面一とさせれば、収納する際にグリップ１４が邪魔にならない。また、カメラ１０の使用時にグリップ１４をカメラ本体１２より出っ張らせれば、グリップ１４が握りやすくなる。
【００３０】
また、グリップ１４をカメラ本体１２と略面一とさせたとき、撮影モードが電源ＯＦＦモードとなり、グリップ１４をカメラ本体１２より出っ張らせたとき、撮影モードが電源ＯＮモードとなるようにされている。これにより、カメラ本体１２と略面一となる位置と、カメラ本体１２から出っ張る位置との間でグリップ１４を移動させるだけで、電源ＯＮモードと電源ＯＦＦモードの切り替えができるので、グリップ１４を移動させながら、他のボタンを押す等の作業を必要としない。
【００３１】
なお、本実施形態では、グリップ１４内に設けたアクチュエータ３６によって、カメラ本体１２内に設けたレバースイッチ３２のＯＮ／ＯＦＦを切り替える構成としたが、図６に示すように、グリップ１４の外壁に突出部４２を形成して、この突出部４２でレバースイッチ３２のレバー３４を図の上側または下側へ移動させて、レバースイッチ３２のＯＮ／ＯＦＦを切り替えるようにしてもよい。
【００３２】
また、本実施形態では、グリップ１４を回転させながら撮影モードを電源ＯＮモード及び電源ＯＦＦモードの間で切り替える構成で説明したが、図７に示すように、グリップ１４に形成した凹部４４にレバースイッチ３２のレバー３４を係止させながら、グリップ１４の回転に伴ってレバー３４を３段階に分けて移動させ、３つ以上の撮影モードに切り替える構成とすることもできる。例えば、グリップ１４が図７（Ａ）の位置にあるときは、電源ＯＮモードとなり撮影が可能となり、図７（Ｂ）の位置にあるときは、再生モードとなり撮影した画像が再生され、図７（Ｃ）の位置にある場合には、電源ＯＦＦモードとなる。また、この他にも、グリップ１４が図７（Ａ）の位置にあるとき、静止画を撮影する静止画モードとし、図７（Ｂ）の位置にあるとき、動画を撮影する動画モード、図７（Ｃ）の位置にある場合には、電源ＯＦＦモードとしてもよい。
【００３３】
さらに、本実施形態では、グリップ１４を断面形状が略卵型となるように構成したが、グリップ１４の形状は略卵型に限定されるものではなく、図４に示すように、グリップ１４の幅方向の寸法をａ、カメラ本体１２の後面からレンズユニット１６の先端部までの距離をｂ、グリップ１４の長手方向の寸法をｃとしたとき、ａ≦ｂ＜ｃの関係を満足させている形状であればよい。
【図面の簡単な説明】
【００３４】
【図１】本発明の実施形態に係るカメラの外観を示す外観図である。
【図２】本発明の実施形態に係るカメラの外観を示す外観図である。
【図３】本発明の実施形態に係るカメラの分解斜視である。
【図４】本発明の実施形態に係るカメラの上面図である。
【図５】本発明の実施形態に係るカメラの上面から見た断面図である。
【図６】本発明の他の形態に係るカメラの上面から見た断面図である。
【図７】本発明の他の形態に係るカメラの上面から見た断面図である。
【符号の説明】
【００３５】
１０  カメラ
１２  カメラ本体
１４  グリップ
３２  レバースイッチ（切替手段）
３６  アクチュエータ（切替手段）
４２  突出部（切替手段）
４４  凹部（切替手段）
【図１】
2006308995.tif 000003
【図２】
2006308995.tif 000004
【図３】
2006308995.tif 000005
【図４】
2006308995.tif 000006
【図５】
2006308995.tif 000007
【図６】
2006308995.tif 000008
【図７】
2006308995.tif 000009